(57)【要約】【課題】構造を複雑にすることなく、突風や強風が吹き込んだ際に浮上したり、吹き飛ばされることを確実に防止することが可能なテントを提供する。【解決手段】骨組み１０と、骨組み１０の屋根部に配設される天幕５０を有し、骨組み１０は、支柱１１Ａ〜１１Ｄと、支柱１１Ａ〜１１Ｄ上に配設される屋根枠１２と、屋根枠１２に回動可能に取付けられる枠体１４Ａ、１４Ｂを有し、屋根枠１２は、軒桁２１Ａ、２１Ｂと、妻梁２２Ａ、２２Ｂと、棟木２３と、垂木２４Ａ〜２４Ｄを有し、枠体１４Ａ、１４Ｂは、屋根枠１２に対し回動可能に取付けられると共に天幕５０が配設され、天幕５０が配設された枠体１４Ａ、１４Ｂは、テントの内部に吹き込んだ風により浮力を受け、この浮力に応じて屋根枠１２に対し回動する。【選択図】図２
2012062680.tif 000002
【特許請求の範囲】
【請求項１】
骨組みと、前記骨組みの屋根部に配設される天幕と、を有するテントであって、
前記骨組みは、複数の支柱と、当該複数の支柱上に配設される屋根枠と、当該屋根枠に回動可能に取付けられる枠体と、を有し、
前記屋根枠は、軒桁と、妻梁と、棟木と、前記軒桁の一方の端部と前記棟木の一方の端部に架け渡される第１の垂木と、前記軒桁の他方の端部と前記棟木の他方の端部に架け渡される第２の垂木と、を有し、
前記枠体は、前記第１の垂木の棟木側端部に回動可能に取付けられる第１の部材と、前記第２の垂木の棟木側端部に回動可能に取付けられる第２の部材と、前記第１の部材の軒桁側端部と前記第２の部材の軒桁側端部とを連結する第３の部材と、を有し、当該枠体に前記天幕が配設されてなり、
前記天幕が配設された枠体は、前記テントの内部に吹き込んだ風により浮力を受け、当該浮力に応じて前記屋根枠に対し回動するテント。
【請求項２】
前記第１及び第２の垂木の棟木側端部に、前記第１及び第２の部材が所定角度で回動した際に当該第１及び第２の部材が各々当接する当接部を配設してなる請求項１記載のテント。
【請求項３】
前記第１及び第２の部材は、前記前記第１及び第２の垂木と略同一の長さを有する請求項１または請求項２記載のテント。
【請求項４】
前記軒桁と、前記第１及び第２の垂木は、前記棟木を挟んだ両側に配設されてなり、
前記枠体は、前記屋根枠の前記棟木を挟んだ少なくとも片側に配設されてなる請求項１ないし請求項３のいずれか一項に記載のテント。
【請求項５】
前記枠体及び前記屋根枠の少なくとも一方の、当該枠体と屋根枠とが接触する領域の少なくとも一部に、緩衝材を配設してなる請求項１ないし請求項４のいずれか一項に記載のテント。
【発明の詳細な説明】
【技術分野】
【０００１】
本発明は、上部に天幕を有すると共に、少なくとも外周の一部が開放されているテントに関する。
【背景技術】
【０００２】
従来から、野外の催し物等で天幕を張ったテントを使用する際は、テントを突風や強風等から守るため、テントを張るポールを地中に固く固定したり、ポールに重りを取り付けたりしているが、テントを設置する場所の地中が固かったり、掘り返すことができない場所では、ポールを地中に安定して固定することが困難である。また、地中にポールを固定したり、ポールに重りを取り付けても、突風や強風等がテント内に吹き込むと、テントに強い浮力が発生し、テントが浮上したり吹き飛ばされる虞がある。
【０００３】
そこで、天幕の一部に設けた開口部と、この開口部を天幕外部から覆うと共に、通風によりその上端から下端へ向けて天幕との間隔が大きくなるように変形することで、前記下端が開くフードと、を備えたテントが紹介されている。このテントは、強風や突風時に、前記開口部からフード内に吹き込んだ風が、当該フードを通って当該フードの下端からテント外部へ抜け出ることで、吹き飛ばされることを防止している。（例えば、特許文献１参照）。
【０００４】
また、天幕の垂直壁状側面が、直角三角形状の２枚のシートをその垂直辺が互いに接するようにして対称形に配置し、且つ各々のシートの斜辺端縁が天幕に固着され、いずれか一方のシートの垂直辺端縁に１又は複数のシート片を突設し、該シート片が１又は複数の係止手段により他方のシートの垂直辺端縁に係止されてなり、突風又は強風を受けると前記突設シート片が自動的に剥離して天幕が吹き飛ばされないようにした野外テントも紹介されている。（例えば、特許文献２参照）。
【０００５】
そしてまた、天頂部付近の天幕屋根に通風口を配設し、前記通風口の外面部に１枚のシート状の蓋を、その上端縁をテントの天頂部の梁に架かる部分で天幕に縫着、糊着け等して固着し、同蓋の他の端縁は、複数の係止手段により通風口に隣接する天幕端縁部に係止し、突風又は強風を受けると前記蓋が自動的に開口し、天幕が吹き飛ばされないようにした野外テントも紹介されている。（例えば、特許文献２参照）。
【先行技術文献】
【特許文献】
【０００６】
【特許文献１】特開平１０−３７５３４号公報
【特許文献２】特許第３７２４４７３号公報
【発明の概要】
【発明が解決しようとする課題】
【０００７】
しかしながら、特許文献１に記載されたテントは、フードの下端部が開くようになっているが、当該フードの上端部及び両側部が天幕に縫い付けられて固着されているため、当該フードの下端に形成される開口を十分に確保できない可能性がある。また、天幕に開口部を形成したり、天幕にフードを取付ける必要があり、構造が複雑になると共に、製造に手間がかかる。
【０００８】
また、特許文献２に記載された野外テントは、突風又は強風を受けると、中程度の固定力を発現する面ファスナにより係止した部分が、自動的に剥離して天幕が吹き飛ばされないようにした構成を備えているが、天幕屋根に複数の係止手段を配設したり、通風口を形成する必要があり、構造が複雑になると共に、製造に手間がかかる。
【０００９】
本発明は、このような事情に鑑みなされたものであり、構造を複雑にすることなく、突風や強風がテント内に吹き込んだ際に、天幕にかかる浮力を効率よく逃がすことができ、浮上したり、吹き飛ばされることを確実に防止することが可能なテントを提供することを目的とする。
【課題を解決するための手段】
【００１０】
この目的を達成するため本発明は、骨組みと、前記骨組みの屋根部に配設される天幕と、を有するテントであって、前記骨組みは、複数の支柱と、当該複数の支柱上に配設される屋根枠と、当該屋根枠に回動可能に取付けられる枠体と、を有し、前記屋根枠は、軒桁と、妻梁と、棟木と、前記軒桁の一方の端部と前記棟木の一方の端部に架け渡される第１の垂木と、前記軒桁の他方の端部と前記棟木の他方の端部に架け渡される第２の垂木と、を有し、前記枠体は、前記第１の垂木の棟木側端部に回動可能に取付けられる第１の部材と、前記第２の垂木の棟木側端部に回動可能に取付けられる第２の部材と、前記第１の部材の軒桁側端部と前記第２の部材の軒桁側端部とを連結する第３の部材と、を有し、当該枠体に前記天幕が配設されてなり、前記天幕が配設された枠体は、前記テントの内部に吹き込んだ風により浮力を受け、当該浮力に応じて前記屋根枠に対し回動するテントを提供するものである。
【００１１】
この構成を備えたテントは、屋根枠に回動可能に取付けられた枠体に天幕が配設されており、この天幕が配設された枠体が、テントの内部に吹き込んだ風により浮力を受け、当該浮力に応じて前記屋根枠に対し回動することで、屋根枠と天幕が配設された枠体との間に風を外部に逃がす開口を形成することができる。したがって、天幕にかかる浮力を効率よく逃がすことができ、テントが浮上したり、吹き飛ばされることを確実に防止することができる。
【００１２】
また、本発明に係るテントは、前記第１及び第２の垂木の棟木側端部に、前記第１及び第２の部材が所定角度で回動した際に当該第１及び第２の部材が各々当接する当接部を配設することができる。
【００１３】
このように構成することで、前記利点に加え、前記第１及び第２の部材が所定角度以上で回動しようとした際に、当該第１及び第２の部材が前記当接部に当接し、当該第１及び第２の部材がこれ以上回動することを防止することができる。したがって、天幕が配設された枠体が、棟木を挟んだ反対側に位置することを防止することができ、風が静まった際には、当該枠体は自動的に元の位置に戻ることができる。なお、この動作をより確実に行うためには、前記第１及び第２の部材が水平方向に対し鋭角を維持することができる位置に、前記当接部を配設することが好ましい。
【００１４】
そしてまた、前記第１及び第２の部材は、前記前記第１及び第２の垂木と略同一の長さを有することができる。
【００１５】
また、本発明に係るテントは、前記軒桁と、前記第１及び第２の垂木とが、前記棟木を挟んだ両側に配設され、前記枠体が前記屋根枠の前記棟木を挟んだ少なくとも片側に配設された構成を有することができる。
【００１６】
さらにまた、本発明に係るテントは、前記枠体及び前記屋根枠の少なくとも一方の、当該枠体と屋根枠とが接触する領域の少なくとも一部に、緩衝材を配設した構成を備えることができる。このように構成することで、枠体が回動した後、元の位置に戻る際に、前記屋根枠に当接して衝撃音や振動等が生じる可能性があったとしても、これらを前記緩衝材により吸収することができる。
【発明の効果】
【００１７】
本発明に係るテントは、テントの内部に吹き込んだ風により天幕が受ける浮力に応じて前記屋根枠に対し回動することができるため、屋根枠と天幕が配設された枠体との間に風を外部に逃がす開口を形成し、ここから風を外部に逃がすことができる。したがって、テントが浮上したり、吹き飛ばされることを確実に防止することができる。
【図面の簡単な説明】
【００１８】
【図１】本発明の実施形態に係るテントの斜視図である。
【図２】本発明の実施形態に係るテントの斜視図であって、一方の枠体が回動した状態を示す図である。
【図３】本発明の実施形態に係るテントの斜視図であって、両方の枠体が回動した状態を示す図である。
【図４】図３に示すテントから天幕を取除いた状態を示す斜視図である。
【図５】図４に示す天幕が取除かれたテントの一部を拡大して示す側面図である。
【図６】図４に示す天幕が取除かれたテントの枠体が限界まで回動した状態の一部を拡大して示す側面図である。
【発明を実施するための形態】
【００１９】
次に、本発明の実施形態に係るテントについて図面を参照して説明する。なお、以下に記載される実施形態は、本発明を説明するための例示であり、本発明をこれらの実施形態にのみ限定するものではない。したがって、本発明は、その要旨を逸脱しない限り、様々な形態で実施することができる。
【００２０】
図１は、本発明の実施形態に係るテントの斜視図、図２は、本発明の実施形態に係るテントの斜視図であって、一方の枠体が回動した状態を示す図、図３は、本発明の実施形態に係るテントの斜視図であって、両方の枠体が回動した状態を示す図、図４は、図３に示すテントから天幕を取除いた状態を示す斜視図、図５は、図４に示す天幕が取除かれたテントの一部を拡大して示す側面図、図６は、図４に示す天幕が取除かれたテントの枠体が限界まで回動した状態の一部を拡大して示す側面図である。なお、前記各図では、説明を判り易くするため、各部材の厚さやサイズ、拡大・縮小率等は、実際のものとは一致させずに記載した。
【００２１】
図１〜図６に示すように、本発明の実施形態に係るテント１は、骨組み１０と、骨組み１０の上部である屋根部に配設される天幕５０とを有している。
【００２２】
骨組み１０は、テント１の四隅に各々配置され、テント１全体を支持する４本の支柱１１Ａ〜１１Ｄと、支柱１１Ａ〜１１Ｄ上に配設される屋根枠１２と、屋根枠１２に回動可能に取付けられる枠体１４Ａ及び１４Ｂとを有している。
【００２３】
屋根枠１２は、支柱１１Ａと支柱１１Ｂとの間に架け渡される軒桁２１Ａと、支柱１１Ｃと支柱１１Ｄとの間に架け渡される軒桁２１Ｂと、支柱１１Ａと支柱１１Ｄとの間に架け渡される妻梁２２Ａと、支柱１１Ｂと支柱１１Ｃとの間に架け渡される妻梁２２Ｂと、棟木２３と、支柱１１Ａの上端と棟木２３の妻梁２２Ａ側の端部との間に架け渡される垂木２４Ａ（第１の垂木）と、支柱１１Ｂの上端と棟木２３の妻梁２２Ｂ側の端部との間に架け渡される垂木２４Ｂ（第２の垂木）と、支柱１１Ｃの上端と棟木２３の妻梁２２Ｂ側の端部との間に架け渡される垂木２４Ｃ（第２の垂木）と、支柱１１Ｄの上端と棟木２３の妻梁２２Ａ側の端部との間に架け渡される垂木２４Ｄ（第１の垂木）とを有している。
【００２４】
軒桁２１Ａは、妻梁２２Ａ側の端部が約９０度下方に向けて屈折されて支柱１１Ａに固定されており、妻梁２２Ｂ側の端部が同様に支柱１１Ｂに固定されている。また、軒桁２１Ｂは、妻梁２２Ａ側の端部が約９０度下方に向けて屈折されて支柱１１Ｄに固定されており、妻梁２２Ｂ側の端部が同様に支柱１１Ｃに固定されている。
【００２５】
妻梁２２Ａは、軒桁２１Ａ側の端部が約９０度下方に向けて屈折されて支柱１１Ａに固定されており、軒桁２１Ｂ側の端部が同様に支柱１１Ｄに固定されている。また、妻梁２２Ｂは、軒桁２１Ａ側の端部が約９０度下方に向けて屈折されて支柱１１Ｂに固定されており、軒桁２１Ｂ側の端部が同様に支柱１１Ｃに固定されている。
【００２６】
垂木２４Ａは、支柱１１Ａの上端から所定の角度で屈曲するよう連続的に形成されており、垂木２４Ｄは、支柱１１Ｄの上端から所定の角度で屈曲するよう連続的に形成されている。そして、垂木２４Ａの先端（上端）と垂木２４Ｄの先端（上端）が、棟木２３の妻梁２２Ａ側先端に固定されている。また、垂木２４Ｂは、支柱１１Ｂの上端から所定の角度で屈曲するよう連続的に形成されており、垂木２４Ｃは、支柱１１Ｃの上端から所定の角度で屈曲するよう連続的に形成されている。そして、垂木２４Ｂの先端（上端）と垂木２４Ｃの先端（上端）が、棟木２３の妻梁２２Ｂ側先端に固定されている。
【００２７】
垂木２４Ａと垂木２４Ｄとの固定部２６Ａには、後に詳述するパイプ材４１Ａ及び４２Ａの一端が回動可能に取付けられるようになっており、垂木２４Ｂと垂木２４Ｃとの固定部２６Ｂには、後に詳述するパイプ材４１Ｂ及び４２Ｂの一端が回動可能に取付けられるようになっている。また、これらの固定部２６Ａには、図５及び図６に示すように、後に詳述するパイプ材４１Ａ及び４２Ａが所定角度で回動した際に、これらに当接し、パイプ材４１Ａ及び４２Ａが所定以上の角度で回動することを防止するための当接部２７Ａが形成されており、固定部２６Ｂには、固定部２６Ａと同様の当接部２７Ａが形成されている。
【００２８】
なお、符号２５は、骨組み１０を補強するための筋交いである。また、垂木２４Ａ〜２４Ｄは、支柱１１Ａ〜１１Ｄと連続形成させずに、別部材とし、支柱１１Ａ〜１１Ｄに各々固定してもよい。
【００２９】
枠体１４Ａは、垂木２４Ａの棟木２３側先端と垂木２４Ｄの棟木２３側先端との固定部２６Ａに、一端（上端）がリベット４５Ａにより回動可能に取付けられるパイプ材４１Ａ（第１の部材）と、垂木２４Ｂの棟木２３側先端と垂木２４Ｃの棟木２３側先端との固定部２６Ｂに、一端（上端）がリベット４５Ｂにより回動可能に取付けられるパイプ材４１Ｂ（第２の部材）と、パイプ材４１Ａの軒桁２１Ａ側先端とパイプ材４１Ｂの軒桁２１Ａ側先端とを連結するパイプ材４１Ｃ（第３の部材）とを有している。なお、本実施形態では、パイプ材４１Ａ〜４１Ｃは、１本のパイプ材を屈曲させることで、連続的に形成されている。
【００３０】
枠体１４Ｂは、一端が、パイプ材４１Ａの一端と共に固定部２６Ａにリベット４５Ａにより回動可能に取付けられるパイプ材４２Ａ（第１の部材）と、一端が、パイプ材４１Ｂの一端と共に固定部２６Ｂにリベット４５Ｂにより回動可能に取付けられるパイプ材４２Ｂ（第２の部材）と、パイプ材４２Ａの軒桁２１Ｂ側先端とパイプ材４２Ｂの軒桁２１Ｂ側先端とを連結するパイプ材４２Ｃ（第３の部材）とを有している。なお、本実施形態では、パイプ材４２Ａ〜４２Ｃは、枠体１４Ｂと同様に、１本のパイプ材を屈曲させることで、連続的に形成されている。
【００３１】
なお、本実施形態では、パイプ材４１Ａ及び４１Ｂは、垂木２４Ａ及び２４Ｂと略同一の長さ（同一あるいはパイプ材の径程度長めの長さ）を有しており、パイプ材４２Ａ及び４２Ｂも同様に、垂木２４Ｄ及び２４Ｃと略同一の長さを有している。また、本実施形態では、パイプ材４１Ａ、４１Ｂ、４２Ａ及び４２Ｂは、垂木２４Ａ〜２４Ｄの直径よりも小さな直径を有するものを使用した。
【００３２】
パイプ材４１Ａとパイプ材４２Ａの固定部２６Ａに固定される先端部、及び、パイプ材４１Ｂとパイプ材４２Ｂの固定部２６Ｂに固定される先端部は、図５及び図６に示すように、先細りとなるテーパ形状となっている。
【００３３】
なお、枠体１４Ａ及び１４Ｂの屋根枠１２と接触する領域の少なくとも一部、あるいは、屋根枠１２の枠体１４Ａ及び１４Ｂと接触する領域の少なくとも一部、もしくは、両者の互いに接触する領域の少なくとも一部に、緩衝材（図示せず）を配設することもできる。この場合、枠体１４Ａ及び／または枠体１４Ｂが回動し、元の位置に戻った際に、枠体１４Ａ及び／または枠体１４Ｂが屋根枠１２に当たっても、この時に生じる振動や音を前記緩衝材によって吸収させることができる。また、この緩衝材を枠体１４Ａ及び１４Ｂ、屋根枠１２に対し着脱可能に取付けることで、緩衝材を簡単に取替えることもできる。
【００３４】
天幕５０は、枠体１４Ａ及び１４Ｂを覆うように、枠体１４Ａ及び１４Ｂの全体に亘って着脱可能に配設されている。
【００３５】
この構成を備えたテント１は、テント１の内部に突風や強風等が入り込み、この風により天幕５０が浮力を受けると、天幕５０が配設されている枠体１４Ａ及び／または枠体１４Ｂが図５に示すように上方に向けて回動し、屋根枠１２と天幕５０が配設されている枠体１４Ａとの間、及び／または、屋根枠１２と天幕５０が配設されている枠体１４Ｂとの間に開口を形成することができる。この開口面積（即ち、枠体１４Ａ及び／または枠体１４Ｂの回動角度）は、前記風により天幕５０が受ける浮力に応じて決まるため、前記風をこの開口から外部に効率よく逃がすことができる。したがって、天幕５０にかかる浮力を効率よく逃がすことができ、テント１が浮上したり、吹き飛ばされることを確実に防止することができる。
【００３６】
また、図６に示すように、枠体１４Ａ及び／または枠体１４Ｂが所定角度以上で回動しようとした場合は、パイプ材４１Ａ及びパイプ材４１Ｂ、及び／または、パイプ材４２Ａ及びパイプ材４２Ｂが、当接部２７Ａ及び／または当接部２７Ｂに当接するため、枠体１４Ａ及び／または枠体１４Ｂが棟木２３を超えて反対側まで回動することを防止することができる。したがって、枠体１４Ａ及び／または枠体１４Ｂが前記風の浮力を受けなくなった際には、元の位置に自然に戻ることができる。
【００３７】
なお、本実施形態では、屋根枠１２に枠体１４Ａ及び１４Ｂを各々配設した場合について説明したが、これに限らず、屋根枠１２の棟木２３を挟んだ一方に枠体１４Ａ（１４Ｂ）を配設した構成であってもよい。この場合、屋根枠１２の枠体１４Ａ（１４Ｂ）が配設されなかった領域には、天幕５０を別途配設することができる。
【００３８】
また、本実施形態に係るテント１は、垂木２４Ａと垂木２４Ｂとの間に、追加の垂木を配設してもよく、垂木２４Ｃと垂木２４Ｄとの間に、追加の垂木を配設してもよい。そしてまた、パイプ材４１Ａとパイプ材４１Ｂとの間にこれらのパイプ材と同様のパイプ材を追加して配設してもよく、パイプ材４１Ｄとパイプ材４１Ｃとの間にこれらのパイプ材と同様のパイプ材を追加して配設してもよい。
【符号の説明】
【００３９】
１…テント、  １０…骨組み、  １１Ａ〜１１Ｄ…支柱、  １２…屋根枠、  １４Ａ、１４Ｂ…枠体、  ２１Ａ、２１Ｂ…軒桁、  ２２Ａ、２２Ｂ…妻梁、  ２３…棟木、  ２４Ａ〜２４Ｄ…垂木、  ２６Ａ、２６Ｂ…固定部、  ２７Ａ、２７Ｂ…当接部、  ４１Ａ〜４１Ｃ、４２Ａ〜４２Ｃ…パイプ材、  ４５Ａ、４５Ｂ…リベット、  ５０…天幕
【図１】
2012062680.tif 000003
【図２】
2012062680.tif 000004
【図３】
2012062680.tif 000005
【図４】
2012062680.tif 000006
【図５】
2012062680.tif 000007
【図６】
2012062680.tif 000008